(57)【特許請求の範囲】
【請求項１】
テーブル状の台枠の上面側に、駆動ローラと従動ローラとを、一対に対向するよう並列させて軸支し、これらにテーブルベルトを無端に巻き掛け、そのベルトをそれの上方回行側が駆動ローラ側から従動ローラ側に送り出されるよう駆動するベールラッパのベール支承台において、従動ローラを、上部従動ローラと下部従動ローラとに分け、それらを、上部従動ローラと下部従動ローラとの中間に位置せしめて台枠に設ける回動支点により回動する切替フレームの上部および下部にそれぞれ軸支し、この切替フレームと台枠との間に切替フレームを所望の回動位置に係止する係止手段を設けてなるベールラッパにおけるベール支承台。
【請求項２】
上部ローラと下部ローラとを上部および下部に軸支せしめる切替フレームの回動支点を、上部従動ローラと下部従動ローラとの中間位置で下部ローラ側に寄る部位に設定することを特徴とする請求項１記載のベールラッパにおけるベール支承台。
【請求項３】
切替フレームを、それの上部に軸支する上部従動ローラが駆動ローラより高い位置を占めるように配して台枠に軸支し、台枠の底部には、旋回軸を駆動ローラ側に偏位せしめて装設し、この旋回軸により台枠をターンテーブル状に旋回させることを特徴とする請求項１記載のベールラッパにおけるベール支承台。
【請求項４】
切替フレームの回動支点の位置を、その切替フレームの回動により上部従動ローラが駆動ローラに対し変位した各状態位置において、対応する径のロールベールをそれぞれ載架したときの各重心位置が、略鉛直線上に揃うように設定し、その略鉛直線上に台枠を旋回させる旋回軸を配位して装設することを特徴とする請求項１、または、請求項２、または請求項３記載のベールラッパにおけるベール支承台。
【発明の詳細な説明】
【０００１】
【発明が属する技術分野】
本発明は、ロールベーラにより牧草・稲藁等の飼料作物をロール状に巻き込み成形した牧草・稲藁等の飼料作物のロールベールを、良質な飼料とするよう醗酵させるためにプラスチックフイルムで密封状態にラップするベールラッパについての改良に関する。
【０００２】
【従来の技術】
ロールベーラにより成形した飼料作物のロールベールを、プラスチックフイルムでラップするベールラッパＡは、従来のものにあっては、通常、図１および図２に示しているように、トラクタＴに牽引されて走行する機体ａまたは自走して走行する機体または所望の場所に定置する機体に、テーブル状の台枠ｂを装架して、これの上面側に、ロールベールＢを転動自在な状態として支承するベール支承台ｃを設け、機体ａには、このテーブル状の台枠ｂの周囲を旋回する旋回アーム（図示省略）を装架して、これにプラスチックフイルムｄを伸長させながら繰り出すストレッチユニットｅを支架するか、そのストレッチユニットｅをテーブル状の台枠ｂの近傍に配位して機体ａに固定して立設せる支柱ｆに支架し、台枠ｂをそれの底部の中心部位に設ける旋回軸ｇにより旋回させるようにしておき、これにより、ベール支承台ｃ上に載架したロールベールＢを転動させながらそれの周面にストレッチユニットｅから繰り出されるプラスチックフイルムｄを巻き付けてラップするように構成している。
【０００３】
そして、このベールラッパＡにおいて、ロールベールＢを支承するベール支承台ｃは、通常、図３にあるように、四角なテーブル状に形成した台枠ｂの上面側で前後または左右の両端部位に、駆動ローラ１と従動ローラ２とを、一対に対向して並列するように配位して台枠ｂに軸支し、それら駆動ローラ１と従動ローラ２とに、複数本のテーブルベルト３…を、それらローラ１・２の軸方向に並列させてエンドレスに巻き掛け、駆動ローラ１に、それを駆動回転させる駆動機構（図示省略）を連繋して、これにより、駆動ローラ１と従動ローラ２とにかけ回したテーブルベルト３…の上方回行側の上面で、ロールベールＢを支承するようにして、駆動ローラ１の駆動によるテーブルベルト３…の回動により支承するロールベールＢがそれの軸芯線中心に回転させるようにする。
【０００４】
そして、このベール支承台ｂとする駆動ローラ１と従動ローラ２とにエンドレスに掛け回すテーブルベルト３は、駆動ローラ１の回転方向を、図３において、矢印に示しているように時計回りとするようにして、エンドレスに回動するテーブルベルト３の上方回行側が、駆動ローラ１から従動ローラ２に向けて送り出される往路側となり、下方回行側が従動ローラ２を経て駆動ローラ１に戻る復路側となるようにし、それによるテーブルベルト３のたるみにより、ロールベールＢを支承する上方回行側に、ロールベールＢの周面に倣う弧状の支承面を形成するようにしている。
【０００５】
【発明が解決しようとする課題】
上述のベールラッパＡは、それのベール支承台ｃを、テーブル状の台枠ｂに軸支する駆動ローラ１と従動ローラ２とに巻き付けたテーブルベルト３の上方回行側で形成することから、例えば、図３にあるように、設計した駆動ローラ１と従動ローラ２との間隔および駆動ローラ１の送り出しによりテーブルベルト３の上方回行側に形成される弧状の支承面が、載架して支承するロールベールＢの径および周面の曲率に一致するときは、問題は発生しないが、図４にあるように標準の寸法より大径に巻かれたロールベールＢを支承させたときに、駆動ローラ１と従動ローラ２とに衝合して支持されることで、ロールベールＢの下周面が、テーブルベルト３の上面から浮き上がり、テーブルベルト３に密着しない状態となることから、ロールベールＢを転動させる駆動力が不足し、ロールベールＢの回転速度にムラが生じて、ロールベールＢに周面に順次巻き付け部位を周方向に変位させながらプラスチックフイルムｄを巻き付けていくときの重ね代が安定しないようになってくるので、ラップによる飼料作物の醗酵を安定させるために、通常よりも多く巻き重ねなければならない問題が生じてくる。
【０００６】
また、図５にあるように、標準の寸法よりも小径に巻かれたロールベールＢが載架されたときには、テーブルベルト３の上方回行側に形成される弧状の支承面の曲率よりも、ロールベールＢの周面の曲率が小さくなることで、ロールベールＢの下周面が駆動ローラ１と従動ローラ２との間においてテーブルベルト３の上方回行側の上面に載るようになって、ロールベールＢがテーブルベルト３の上面を駆動ローラ１側または従動ローラ２側に転がるようになり、前述の大径の場合と同様にロールベールＢの回転にムラが生じて、重ね代が安定しない問題が生じてくる。
【０００７】
また、ベールラッパＡは、ベール支承台ｃ上に載架したロールベールＢの周面にプラスチックフイルムｄを巻き付けるのに、通常、ストレッチユニットｅを、ベール支承台ｃの回りを旋回する旋回アームに支架してプラスチックフイルムｄをロールベールＢの周面に巻き付けるようにするが、ストレッチユニットｅをベール支承台ｃの近傍位置において機体ａに固定して立設した支柱ｆに支架しておき、ベール支承台ｃを支架せる台枠ｂを、それの底面の中心部位に設ける旋回軸ｇによりターンテーブル状に旋回させ、これにより、ベール支承台ｃと共に旋回するロールベールＢが、ストレッチユニットｅからプラスチックフイルムｄを引き出しながら自体の周面にプラスチックフイルムｄを巻き付けるようにする場合がある。
【０００８】
このように、ベール支承台ｃをターンテーブル状に旋回させるときは、テーブルベルト３の上面に支承させたロールベールＢが、旋回軸ｇ中心の旋回による遠心力でテーブルベルト３の上面を転がるようになって、そのロールベールＢの重心Ｇが、旋回軸ｇの軸芯線に対し、図５において符号ｗに示す範囲を移動するようになるため、旋回する台枠ｂのバランスが悪くなり、旋回速度を遅くしなければならず、作業能率が低下する問題がでてくる。
【０００９】
また、ロールベールＢの径を変化させたときに、そのロールベールＢの下周面が、テーブルベルト３の上周面に対し密着する状態になるようにするには、駆動ローラ１と従動ローラ２との軸間隔を可調にし、また、これらの間にエンドレスに巻きかけるテーブルベルト３が所定の弧状の支承面を形成するように、それの長さを可調にする必要がある。
【００１０】
このとき、駆動ローラ１と従動ローラ２との軸間隔を拡縮させるためには、駆動ローラ１および従動ローラ２は、台枠ｂに対しそれぞれ外側に向け変位するように軸支しなければならないことで、駆動ローラ１および従動ローラ２を含めた台枠ｂの外形寸法が大きくなり、台枠ｂをターンテーブル状に旋回させる形態としたときに、他の機械設備、例えば、台枠ｂに積込アームを装架した場合にその積込アームに対し回転する台枠ｂが干渉するようになる問題がでてくる。
【００１１】
また、駆動ローラ１と従動ローラ２との軸間隔を調節する際に伴うテーブルベルトの長さの調節は、この軸間隔の調節作業を厄介なものとする問題がある。
【００１２】
本発明は従来手段に生じている上述の問題を解消せしめるためになされたものであって、ベール支承台上にロールベールを載架してプラスチックフイルムによるラップ作業を行う際に、そのロールベールを、大径に巻かれたもの、また、小径に巻かれたものに変更した場合に、そのロールベールの下周面がテーブルベルトの上周面に密着状態に接触する状態とするのが、駆動ローラおよび従動ローラを含めた台枠の外形寸法をそれほど大きくせずに、かつ、テーブルベルトの長さを変更させることなく行えるようにし得る新たな手段を提供することを目的とする。
【００１３】
【課題を解決するための手段】
テーブル状の台枠の上面側に、駆動ローラと従動ローラとを、その台枠の前後（または左右）の両側部位に、それぞれ軸支して、前後（または左右）に一対に対向するよう並列軸支し、それら駆動ローラと従動ローラとにエンドレスにテーブルベルトを巻き掛け、そのベルトをそれの上方回行側が駆動ローラから従動ローラに向け送り出されるように駆動することで、そのベルトの上方回行側に形成される弧状のたるみをもって構成するベールラッパのベール支承台において、並列軸支する駆動ローラと従動ローラとの間隔を拡縮される際の台枠の外形寸法が大きくなる問題は、台枠に可動に軸支する従動ローラの径を小径に形成しておくことで、効果的に解消し得ることが判ってきた。
【００１４】
また、このとき、従動ローラは、小径の上部従動ローラと下部従動ローラとに分け、これらを、上部従動ローラと下部従動ローラとの中間に回動支点をもつ切替フレームの上部および下部にそれぞれ軸支しておいて、この切替フレームの回動支点を中心とする回動により、上部従動ローラを駆動ローラから離れる方向に動かして並列する軸間隔を拡げたときに、下部従動ローラが、反対に駆動ローラに近づく方向に動くようにしておくことで、駆動ローラと従動ローラとの軸間隔を拡縮させる作動が、その駆動ローラと従動ローラとにエンドレスに巻き掛けるテーブルベルトの長さを変更することなく、たるみにより弧状の支承面を形成する駆動ローラと従動ローラとの間のテーブルベルトの上方回行側の張りを略一定の状態に保持せしめ得ることが判ってきた。
【００１５】
そして、このことから、本発明においては、上述の目的を達成するための手段として、特許請求の範囲の請求項１に記載したように、テーブル状の台枠の上面側に、駆動ローラと従動ローラとを、一対に対向するよう並列させて軸支し、これらにテーブルベルトを無端に巻き掛け、そのベルトをそれの上方回行側が駆動ローラ側から従動ローラ側に送り出されるよう駆動するベールラッパのベール支承台において、従動ローラを、上部従動ローラと下部従動ローラとに分け、それらを、上部従動ローラと下部従動ローラとの中間に位置せしめて台枠に設ける回動支点により回動する切替フレームの上部および下部にそれぞれ軸支し、この切替フレームと台枠との間に切替フレームを所望の回動位置に係止する係止手段を設けてなるベールラッパにおけるベール支承台を提起するものである。
【００１６】
さらに、切替フレームの回動により、上部従動ローラと下部従動ローラとを、それぞれ反対方向に動くようにするとき、その切替フレームの回動支点は、上部従動ローラと下部従動ローラとの中間位置よりも少し下部従動ローラの側に寄せた位置に設定しておくことが、駆動ローラと上部従動ローラとの間隔を調節したときの、テーブルベルトの上周面とロールベールの下周面との密着性を良くする、との知見が得られた。
【００１７】
このことから、本発明においては、請求項２に記載したように、上部ローラと下部ローラとを上部および下部に軸支せしめる切替フレームの回動支点を、上部ローラと下部ローラとの中間位置で下部ローラ側に寄る部位に設定する手段を提起するものである。
【００１８】
さらにまた、テーブル状の台枠を、それの底面に設ける旋回軸によりターンテーブル状に旋回させる形態とするときは、上下に分けた従動ローラの上部ローラを駆動ローラよりも少し高い位置に軸支しておいて、その駆動ローラと上部従動ローラとの間に張架されるテーブルベルトの上方回行側の上に載架するロールベールが、駆動ローラの側に寄せられて位置し、それにより重心位置Ｇが駆動ローラ側に偏位する状態としておき、台枠を旋回させる旋回軸を、このロールベールの重心位置を通る鉛直線上に位置するよう駆動ローラ側に寄せた位置に設定することで、支承するロールベールを自転させるよう駆動するときの駆動ローラの分担荷重を大きくして、駆動ローラとベルトの摩擦力を増やしてスリップを少なくし、また、支承するロールベールが変形している転がりにくい形状のものであるときに、従動ローラを乗り越えて脱落する不都合が生ずるようになるのに対し、これを抑止するようになるのに有効であるという知見が得られた。
【００１９】
このことから、本発明においては、請求項３に記載したように、テーブル状の台枠の上面側に、駆動ローラと従動ローラとを、一対に対向するよう並列させて軸支し、これらにテーブルベルトを無端に巻き掛け、そのベルトをそれの上方回行側が駆動ローラ側から従動ローラ側に送り出されるよう駆動するベールラッパのベール支承台において、従動ローラを、上部従動ローラと下部従動ローラとに分け、上部従動ローラを駆動ローラより高い位置に配して台枠に軸支し、台枠の底部には、旋回軸を駆動ローラ側に偏位せしめて装設し、この旋回軸により台枠をターンテーブル状に旋回させるベールラッパのベール支承台を提起するものである。
【００２０】
【発明の実施の形態】
次に本発明の実施の態様を、実施例の図面に随い説明する。
図６は、本発明を実施せるベールラッパＡの側面図で、ａは機体、ｂはその機体ａに支架せる台枠、ｃはその台枠ｂの上面側に装架したベール支承台、ｅはストレッチユニットを示す。
【００２１】
この例におけるベールラッパＡは、それの機体ａを、トラクタＴ等の牽引車に連結装着して牽引させることで走行するとともに各作動部の駆動を牽引車側の動力を利用して行う被牽引型に構成した例のものであり、機体ａの前端側には、トラクタＴの車体後部に設けた連結ヒッチに対して連結装着するための牽引杆ｈが装備してあるが、機体ａにエンジンを搭載して走行輪ｉを駆動して走行する自走型とする場合、また、所望の場所に設置してラップ作業を行うようにする場合等、機体ａの構成自体は従前の通常のものと同様に構成してよいものである。
【００２２】
また、この例のベールラッパＡは、ベール支承台ｃに対するロールベールＢの積み込み、および取り降ろしを、ベール支承台ｃをダンプ回動させることにより行えるようにしているもので、そのため、機体ａには、油圧シリンダｊの作動により支点軸ｋ中心にダンプ回動するダンプフレームＬを装架し、これに、台枠ｂを支架するようにしてあり、そのダンプフレームＬには、取付機枠ｍを立設して、これに積込アームｎを油圧シリンダにより昇降回動するように取り付けて、この積込アームｎとダンプフレームＬのダンプ回動の作動によりロールベールＢの積み込みが行えるようにしている。
【００２３】
また、この例のベールラッパＡは、ストレッチユニットｅを、機体ａに固定して立設した支柱ｆに装架し、台枠ｂを旋回軸ｇによりターンテーブル状に旋回するようにしている形態のもので、その旋回軸ｇは前述のダンプフレームＬに、油圧モータ（図示省略）により駆動回転するよう軸支され、この旋回軸ｇの上端側に台枠ｂの底面の略中心部位を支承させている。
【００２４】
台枠ｂは、図７にあるように、左右の側枠４０（一方は図面上省略している）と、これら側枠４０に渡架する桁枠４１…とで、四角なテーブル状の枠体に形成する通常のものである。
【００２５】
この台枠ｂの上面側に、ベール支承台ｃを構成するために軸支する駆動ローラ１および従動ローラ２は、駆動ローラ１にあっては、台枠ｂの左右の側枠４０の前端に寄る部位に、軸受支持金具４２・４２を設けて、これに駆動ローラ１の左右の軸端部を軸支することで台枠ｂに軸支してあり、その駆動ローラ１の左右の一方の軸端部には、油圧モータ（図示省略）の出力軸と伝導機構を介して伝導させるための駆動鎖輪１０を組み付けて、これにより駆動回転させるようにしている。このときの、駆動ローラ１の回転方向は、図６において時計回りとなるように設定する。
【００２６】
従動ローラ２は、前述の台枠ｂの左右の側枠４０の後端側に寄る部位に軸支するが、前述の図７にあるように、駆動ローラ１よりも小径の上部従動ローラ２ａと下部従動ローラ２ｂとに分けてある。
【００２７】
これら上部従動ローラ２ａと下部従動ローラ２ｂは、図７にあるように別に上下に長い略Ｈ型状に形成した切替フレーム５の上部および下部に軸受支持金具５０・５０を取り付けて、これに上部従動ローラ２ａおよび下部従動ローラ２ｂのそれぞれの左右の軸端部をそれぞれ嵌装することで、この切替フレーム５にそれぞれ軸支する。
【００２８】
そして、この一対の切替フレーム５・５には、それに組み付け軸支する上部従動ローラ２ａと下部従動ローラ２ｂとの軸間隔の中間に位置する部位に、前記上部従動ローラ２ａおよび下部従動ローラ２ｂに対し平行する切替回動軸５ａの左右の軸端部をそれぞれ組み付けて、この切替回動軸５ａを、台枠ｂの左右の側枠４０の後端部位に軸受金具５１を介して軸支することで、切替フレーム５がこの切替回動軸５ａを回動支点として回動するようにし、これにより、切替フレーム５の回動で上部従動ローラ２ａを、それと駆動ローラ１との間の距離を変更するように動かして、図８・図９・図１０・図１１・図１２の各図にあるように、載架される径寸法が大小に異なるロールベール B-1〜B-5 を駆動ローラ１と上部従動ローラ２ａとに下周面が衝合して支承される状態としたときに、下部従動ローラ２ｂが、支点軸となる切替回動軸５ａを中心として上部従動ローラ２ａに対し反対方向に動き、これにより、上部従動ローラ２ａの動きでそれと駆動ローラ１との間の距離を拡縮させた分だけ下部従動ローラ２ｂと駆動ローラ１との間の距離を拡縮させて相殺し、駆動ローラ１と従動ローラ２とにかけ回されるテーブルベルト３の張りを略一定に保持して、そのテーブルベルト３の上周面とロールベールＢの底面とが密着状態となるようにする。
【００２９】
このとき、切替フレーム５の回動支点となる切替回動軸５ａは、上部従動ローラ２ａと下部従動ローラ２ｂとの間の中間位置よりも少し下部従動ローラ２ｂ側に寄せた位置に設定しておくことが、上部従動ローラ２ａを動かす調節を行ったときの、テーブルベルト３の上部回行側の上面のロールベールＢの下周面に対する密着性を良くするのに有効となる。
【００３０】
また、台枠ｂを旋回軸ｇによりターンテーブル状に旋回させる場合にあっては、上部従動ローラ２ａを切替フレーム５に軸支して台枠ｂに対し支架するときに、その台枠ｂに軸架する駆動ローラ１よりも高い位置に軸支し、かつ、旋回軸ｇを駆動ローラ１側に偏位させた位置に設けるようにするが、このとき、上部従動ローラ２ａの高さ位置および切替フレーム５の回動支点となる切替回動軸５ａの位置の設定を、上部従動ローラ２ａが、切替回動軸５ａ中心とする回動により、図１３において、太線に示している位置Ｉから細線で示している位置II・III およびIV・V の位置にそれぞれ変位させ、その各状態位置において対応する径のロールベールB-I ・B-II・ B-III ・ B-IV・ B-V をそれぞれ載架したときに、それらのロールベールＢのそれぞれの重心位置 G-I・G-II・G-III・ G-IV ・ G-V が、同図１３にあるように、旋回軸ｇの軸芯線Ｙ上に略位置してくるように設定する。この設定は、、図１３にあるように、実際に行う経験値から、上部従動ローラ２ａを変位させたときの各状態位置に対応する径のロールベールＢのそれぞれの重心位置が、略鉛直線上に揃うようになる条件位置を見出し、この重心位置が、略揃う鉛直線上に、台枠ｂを旋回させる旋回軸ｇを配設するように設定してよい。
【００３１】
これにより、台枠ｂを旋回軸ｇ中心にターンテーブル状に旋回させる形態のラッピングマシンを構成し、それの台枠ｂの上面に装架するベール支承台ｃの駆動ローラ１と従動ローラ２との軸間隔を可調としてときの、ベール支承台ｃ上に径の異なるロールベールＢを載架することによるロールベールの重心Ｇの変位により生ずる台枠ｂの旋回時のバランスの崩れを、小さく抑えて、高速で台枠ｂを旋回させ得るようにする。
【００３２】
図６および図７において、６はストレッチユニットｅから繰り出されるプラスチックフイルムによるロールベールＢのラップ作業が終了したときに、そのプラスチックフイルムｄをロールベールＢとストレッチユニットｅとの間においてカットし、カットした端部のストレッチユニットｅ側を、機体ａに保持せしめるタイアンドカット装置であり、図６・図７にある実施例においては、台枠ｂの後端側に設けてあって、ベール支承台ｃ上に載架したロールベールＢのラッピングが終了して、そのロールベールＢを放出させるようダンプフレームＬを作動させ、台枠ｂをダンプ回動させたときに、その回動作動でロールベールＢとストレッチユニットｅとの間のプラスチックフイルムｄに当接して切断していくように作用する。
【００３３】
また、図７において、７は、上部従動ローラ２ａおよび下部従動ローラ２ｂを上部および下部に軸支して回動支点となる切替回動軸５ａにより台枠ｂに軸架する切替フレーム５を、その切替回動軸５ａを中心とする所望の回動位置に係止する係止手段を示す。
【００３４】
この係止手段７は、図示する例においては、切替フレーム５に、切替回動軸５ａから少し離した位置に配位して短い軸筒７０を設けてこれに、係止ピン７１を抜き差し自在に嵌挿しておき、また、台枠ｂの側枠４０には、切替フレーム５がそれの回動支点となる切替回動軸５ａを中心に回動したときの、前記軸筒７０の回動軌跡と対応する部位に、その軸筒７０に対し抜き差し自在に嵌挿される前記係止ピン７１が嵌入する係止穴７２…を、前記回動軌跡に沿わせて台枠ｂに多数個開設しておき、切替フレーム５を所望角度量回動させたときに、係止ピン７１を軸筒７０とそれに対向した係止穴７２とに挿通させることで、その回動位置に係止するようにしている。
【００３５】
図７において、符号８で示している部材は、駆動ローラ１と上部従動ローラ２ａおよび下部従動ローラ２ｂとに複数本のテーブルベルト３…を軸方向に並列させてエンドレスに巻き掛けるときに、それらテーブルベルト３…を巻き掛けた位置を規制するための規制ガイドであって、切替フレーム５の回動支点とする切替回動軸５ａを支持部材に利用し、その切替回動軸５ａの周面の所定位置に配位して並列する歯杆状に植設してある。
【００３６】
【発明の効果】
以上説明したように、本発明手段によるベールラッパのベール支承台は、そのベール支承台上にロールベールを載架してプラスチックフイルムによるラップ作業を行う際に、そのロールベールを、大径に巻かれたもの、また、小径に巻かれたものに変更した場合に、そのロールベールの下周面がテーブルベルトの上周面に密着状態に接触する状態とするのが、駆動ローラおよび従動ローラを含めた台枠の外形寸法をそれほど大きくせずに、かつ、テーブルベルトの長さを変更させることなく行えるようになる。
【図面の簡単な説明】
【図１】従前のベールラッパの側面図である。
【図２】同上のラップ作業時の側面図である。
【図３】同上のベール支承台の側面図である。
【図４】同上のベール支承台上に標準のものより大径に巻かれたロールベールを支承させたときの説明図である。
【図５】同上のベール支承台上に標準のものより小径に巻かれたロールベールを支承させたときの説明図である。
【図６】本発明を実施せるベールラッパの側面図である。
【図７】同上のベールラッパのベール支承台およびそれを支架せる台枠の一部省略した分解斜視図である。
【図８】同上のベール支承台を大径のロールベールに対応させたときの上部従動ローラおよび下部従動ローラの動きの説明図である。
【図９】同上のベール支承台を少し大径のロールベールに対応させたときの上部従動ローラおよび下部従動ローラの動きの説明図である。
【図１０】同上のベール支承台を標準のロールベールに対応させたときの上部従動ローラおよび下部従動ローラの動きの説明図である。
【図１１】同上のベール支承台を少し小径のロールベールに対応させたときの上部従動ローラおよび下部従動ローラの動きの説明図である。
【図１２】同上のベール支承台を小径のロールベールに対応させたときの上部従動ローラおよび下部従動ローラの動きの説明図である。
【図１３】同上のベール支承台の上部従動ローラを支承するロールベールの径に対応させて変位させたときの、支承するロールベールの重心位置と旋回軸の位置との関係の説明図である。
【符号の説明】
Ａ…ベールラッパ、Ｂ…ロールベール、Ｇ…重心、Ｔ…トラクタ、Ｙ…軸芯線、ａ…機体、ｂ…台枠、ｃ…ベール支承台、ｄ…プラスチックフイルム、ｅ…ストレッチユニット、ｆ…支柱、ｇ…旋回軸、ｈ…牽引杆、ｉ…走行輪、ｊ…油圧シリンダ、ｋ…支点軸、Ｌ…ダンプフレーム、ｍ…取付機枠、ｎ…積込アーム、１…駆動ローラ、１０…駆動鎖輪、２…従動ローラ、２ａ…上部従動ローラ、２ｂ…下部従動ローラ、３…テーブルベルト、４０…側枠、４１…桁枠、４２…軸受支持金具、５…切替フレーム、５ａ…切替回動軸、５０…軸受支持金具、５１…軸受金具、６…タイアンドカット装置、７…係止手段、７０…軸筒、７１…係止ピン、７２…係止穴、８…規制ガイド。
【図１】
0004107874.tif 000002
【図２】
0004107874.tif 000003
【図３】
0004107874.tif 000004
【図４】
0004107874.tif 000005
【図５】
0004107874.tif 000006
【図６】
0004107874.tif 000007
【図７】
0004107874.tif 000008
【図８】
0004107874.tif 000009
【図９】
0004107874.tif 000010
【図１０】
0004107874.tif 000011
【図１１】
0004107874.tif 000012
【図１２】
0004107874.tif 000013
【図１３】
0004107874.tif 000014